(57)【特許請求の範囲】
【請求項１】
２つの映像信号が入力され、一方の映像信号から他方の映像信号に、映像切換効果の付与状態を変化させながら切り換えて出力する映像処理装置であって、
供給される映像切換効果の種類指示が変更されるごとに前記映像切換効果の種類が変更され、供給される映像切換効果付与状態指示が変更されるごとに、前記映像切換効果の付与状態が変更される映像効果切換手段と、
前記映像切換効果の種類指示と前記映像切換効果付与状態指示とを変更して前記映像効果切換手段に供給する変更手段と、
複数の操作位置と、これら操作位置を手動操作によって移動する操作部とを有し、前記各操作位置には前記映像切換効果の種類指示と前記映像切換効果付与状態指示とが割り当てられた操作手段とを備え、
前記変更手段は、前記操作部が各操作位置に移動するごとに、前記操作部が位置する操作位置に応じた映像切換効果の種類指示と映像切換効果付与状態指示とを前記映像効果切換手段に供給し、前記操作部が前記操作位置間に位置するとき、その位置に応じた前記映像切換効果付与状態を指示する映像処理装置。
【請求項２】
請求項１に記載の映像処理装置において、
前記変更手段は、前記一方の映像信号から他方の映像信号に切り換える間に、前記映像効果切換手段に供給する複数の映像切換効果の種類指示と、これらにそれぞれ対応する映像切換効果付与状態指示とからなるパターンを記憶するパターン記憶手段を有し、
このパターン記憶手段から、対応する映像切換効果の種類指示と映像切換効果付与状態指示とを読み出して、前記映像効果切換手段に供給する映像処理装置。
【発明の詳細な説明】
【技術分野】
【０００１】
本発明は、２つの映像において、一方の映像から他方の映像に、映像切換効果を付与しながら切り換えるように映像を編集する映像処理装置に関する。
【背景技術】
【０００２】
従来、上記のような映像処理装置としては、例えば特許文献１に開示されているようなものがある。特許文献１の技術では、１つの映像から他の映像に切り換える際に、所望の映像効果を付与した遷移映像を生成し、両映像の間に挿入することが開示されている。映像効果としては複数種類のものが予め準備されており、それらの中から所望のものが選択されている。
【０００３】
【特許文献１】特開２００５−２１７６８０号公報
【発明の開示】
【発明が解決しようとする課題】
【０００４】
特許文献１によれば、１つの映像から他の映像に切り換える際に、複数の映像効果のうちから選択された映像効果を付与した遷移映像を両映像の間に挿入することができる。しかし、この技術では、付与される映像効果の種類は、切り換えられている間、常に同じである。例えば切換の対象となる２つの映像のうち少なくとも一方がライブ映像であるような場合、映像効果を特定の一種類とせずに、切換が行われている間に種々の映像切換効果が順次使用されると、新たな映像効果を得ることができることがある。
【０００５】
本発明は、１つの映像から他の映像に切り換えていく間に付与される映像切換効果の種類を経時的に変化させることができる映像処理装置を提供することを目的とする。
【課題を解決するための手段】
【０００６】
本発明の一態様の映像処理装置は、２つの映像信号が入力され、一方の映像信号から他方の映像信号に、映像切換効果の付与状態を変化させながら切り換えて出力するもので、映像効果切換手段を有している。この映像効果切換手段には２つの映像信号が供給される。映像効果切換手段は、一方の映像信号から他方の映像信号に、映像切換効果の付与状態を変化させながら切り換える。前記映像切換効果は、入力される映像切換効果の種類指示が変更されるごとに、種類が変更される。前記映像切換効果の付与状態は、映像切換効果付与状態指示が変更されるごとに、変更される。映像効果の種類としては、種々のものがあり、例えばワイプやディゾルブ等が知られている。また、ワイプにおいても、ワイプの開始される方向に左からの開始、右からの開始、上方からの開始、下方からの開始、左斜め上方からの開始、左斜め下方からの開始、右斜め上方からの開始、右斜め下方からの開始等がある。また、映像切換効果の付与状態は、映像切換効果の進捗の程度を表し、例えば左ワイプで言えば画面の左側の１／１０の長さだけ新たな映像に切り換えられている状態、１／５の長さだけ切り換えられている状態等種々のものがある。前記映像切換効果の種類指示と、前記映像切換効果付与指示とを、変更手段が変更する。複数の操作位置と、これら操作位置を手動操作によって移動する操作部とを操作手段が有し、前記各操作位置には前記映像切換効果の種類指示と前記映像切換効果付与状態指示とが割り当てられている。前記変更手段は、前記操作部が各操作位置に移動するごとに、前記操作部が位置する操作位置に応じた映像切換効果の種類指示と映像切換効果付与状態指示とを前記映像効果切換手段に供給し、前記操作部が前記操作位置間に位置するとき、その位置に応じた前記映像切換効果付与状態を指示する。
【０００９】
このように構成すると、付与される映像切換効果が変化し、しかも、映像切換効果が変更されるごとに、その映像切換効果の付与状態が異なったものとなるが、そのタイミングを操作手段の操作部の操作状態に従って任意に変更することができる。従って、ユーザーの好みのタイミングで、映像切換効果を、またはこれと映像切換効果付与状態とを変更することができる。
【００１３】
前記変更手段は、パターン記憶手段を有するものとすることができる。パターン記憶手段は、前記一方の映像信号から他方の映像信号に切り換える間に、前記映像効果切換手段に供給する複数の映像切換効果の種類指示と、これらにそれぞれ対応する映像切換効果付与状態指示とからなるパターンを記憶している。このパターン記憶手段から、対応する映像切換効果の種類指示と映像切換効果付与状態指示とが、読み出されて、前記映像効果切換手段に供給される。
【００１４】
このように構成すると、パターン記憶手段から、対応する映像切換効果の種類指示と映像切換効果付与状態指示とが読み出されて、映像効果切換手段に供給されるごとに、付与される映像切換効果が別のものとなり、さらに、映像切換効果が変更されるごとに、その映像切換効果の付与状態が異なったものとなる。  
【発明の効果】
【００１５】
以上のように、本発明によれば、映像を切り換える間に、種々の種類の映像切換効果を付与することができる。また、この映像切換効果の切換と同期して、映像切換効果の付与状態を変更することができる。これらによって、今までの単に１種類の映像切換効果によって映像を切り換えていたのと比較して、新鮮な映像切換効果を得ることができる。
【発明を実施するための最良の形態】
【００１６】
本発明の１実施形態の映像処理装置は、図１に示すビデオミキサ２である。このビデオミキサ２は、複数、例えば８台の映像信号生成手段、例えば４台のビデオカメラ４、２台のビデオプレーヤ６及び２台のＤＶＤプレーヤ８からの映像信号を種々に編集し、その編集結果を映像記録手段、例えばビデオレコーダ１０に記録する。このビデオレコーダ１０に記録された編集結果は、表示手段、例えばビデオモニタ１２に表示される。
【００１７】
ビデオミキサ２は、例えば図２に示すように、ＣＰＵ１４を有している。ＣＰＵ１４は、バス１６を介してグラフィックアクセラレータ１８に指示を与える。グラフィックアクセラレータ１８は、合計で８台のビデオカメラ４、ビデオプレーヤ６及びＤＶＤプレーヤ８からのアナログ映像信号をＡ／Ｄ変換器２０によってデジタル変換したデジタル映像信号を入力し、ＣＰＵ１４からの指示に従ってディジタル処理、例えば編集処理を行って、編集されたものをＤ／Ａ変換器２２によってアナログ映像信号に変換してビデオレコーダ１０に供給する。
【００１８】
グラフィックアクセラレータ１８が行う編集処理のうち、本願発明に関連するものとして、２つの映像の切換がある。この映像の切換の最中に付与される映像切換効果には複数の種類があり、そのうちのいずれのものを使用するかは、ＣＰＵ１４から指示される。また、映像切換効果の付与状態も変化していくが、この付与状態もＣＰＵ１４からの指示によって変更される。
【００１９】
グラフィックアクセラレータ１８がデジタル処理をする際や、ＣＰＵ１４がグラフィックアクセラレータ１８に指示を与える際に、ワークエリアとして、バス１６に接続されている内部メモリ２４が使用される。ＣＰＵ１４がグラフィックアクセラレータ１８に指示を与えるためのデータは、ユーザーインターフェース２６やシリアルインターフェース２８を介してユーザーが与える。
【００２０】
図３は、ビデオミキサ２のＣＰＵ１４、グラフィックアクセラレータ１８等が実行する機能をブロックダイアグラムで示したものである。上述した合計で８台のビデオカメラ４、ビデオプレーヤ６及びＤＶＤプレーヤ８からのアナログ映像信号は、８台の入力端子３０を介して２つの入力選択スイッチ３２、３２に並列に供給される。各入力選択スイッチ３２、３２それぞれで１つ選択されたアナログ映像信号が、Ａ／Ｄ変換器２０、２０においてデジタル映像信号に変換され、それぞれフレームメモリ３４、３４に記憶される。なお、図２に示すようにＡ／Ｄ変換器２０は１台だけ設けられているが、これは２チャンネル仕様のものである。フレームメモリ３４、３４は、例えば内部メモリ２４上に形成される。これらフレームメモリ３４、３４は、各入力選択スイッチ３２、３２で選択された２つの１フレーム分の映像の同期を合わせるためのものである。フレームメモリ３４、３４において同期をとるために使用する同期信号は、ビデオミキサ２の内部で作成することもできるし、外部同期端子をビデオミキサ２が備えている場合、外部同期端子を介して外部から同期信号を入力することもできる。
【００２１】
フレームメモリ３４、３４上の２つのデジタル映像信号は、映像切換効果手段、例えばビデオミックスエフェクト部３６に供給される。ビデオミックスエフェクト部３６は、グラフィックアクセラレータ１８によって構成され、本願発明に関連した処理として２つのデジタル映像信号のうち一方から他方に切り換える処理を行う。この処理をどのような態様（使用する映像切換効果の種類、映像切換効果の付与状態）で行うかの指示が操作子３８によって与えられる。操作子３８については後述する。ビデオミックスエフェクト部３６によって編集された後のデジタル映像信号は、出力フェーダ４０によって出力レベルが調整された後、Ｄ／Ａ変換器２２によってアナログ映像信号に変換されて、出力端子４２からビデオレコーダ１０に供給される。
【００２２】
図４は、ビデオミキサ２の筐体４２を示したもので、図を簡略化するために本願発明に関連する操作部分のみを示してある。上述した２つの入力選択スイッチ３２、３２のそれぞれが８つの操作ボタンからなる選択操作部３２ａ、３２ａが筐体４２の上面に設けられている。また、出力フェーダ４０の操作子４０ａも筐体４２の上面に設けられている。
【００２３】
さらに、操作子３８の一部をなすＴバー４４が筐体４２の上面に設けられている。Ｔバー４４は、Ｔ字状の操作子４４ａを有し、これが図示していない基準位置から直線上に配置された複数、例えば８つの操作位置４６ａ乃至４６ｈに順に移動する。
【００２４】
また、操作子３８の残りの部分をなすものとして、タップ操作部４８が設けられている。タップ操作部４８は、ユーザーが操作することによって後述するタイミング信号を発生するものである。なお、タイミング信号としては、ＢＰＭ（ビーツパーミニッツ）操作部５０によって設定されたＢＰＭ（１分間当たりのビート数）、即ちテンポに同期したＢＰＭ情報を使用することもできる。５２は設定されたＢＰＭを表示する表示部である。
【００２５】
これら操作子３８の操作によって与えられた指示は、ユーザーインターフェース２６を介してＣＰＵ１４に与えられる。また、これら操作子３８の操作以外に、外部に設けられたコントローラ（図示せず）からの指示もＣＰＵ１４に与えられる。そのために、シリアルインターフェース２８が設けられている。
【００２６】
このビデオミキサ２において本願発明に関連して行われる映像切換効果について図５を参照して説明する。入力選択スイッチ３２、３２の操作によって映像Ａ、Ｂが選択され、映像Ａのみが出力されている状態とする。この状態においてＴバー４４の操作子４４ａを基準位置から操作位置４６ｈまで順に操作すると、映像Ａのみが表示されている状態から、映像Ａの一部に映像Ｂが上書きされ、その上書きされる面積が増加して、最終的に全て映像Ｂとなる。この上書きされていく形状が映像切換効果の種類によって異なっている。その映像切換効果の種類が操作子４４ａの操作位置に従って順に変更される。しかも操作子４４ａの操作によってその映像切換効果の付与状態、例えば上書きされる面積も変更される。
【００２７】
操作子４４ａが基準位置にある場合には、フレーム全体が映像Ａである。操作子４４ａが操作位置４６ａにあるとき、フレーム全体の例えばα１％の面積をそのとき選択されている映像切換効果を付与された映像Ｂが占める。操作位置４６ｂに操作子４４ａがある場合には、そのとき選択されている映像切換効果を付与された映像Ｂがα２％の面積を占める。以下同様に、操作位置４６ｃ、４６ｄ、４６ｅ、４６ｆ、４６ｇ、４６ｈにあるとき、それぞれ選択された映像切換効果を付与された映像Ｂが占める面積が、α３％、α４％、α５％、α６％、α７％、α８％（＝１００％）と増加していく。なお、各操作位置間を操作子４４ａが移動している間には、映像Ｂが占める面積が、移動先の操作位置に割り当てられていた映像切換効果を維持して漸増する。例えば操作位置４６ａから操作位置４６ｂにＴバー４４の操作子４４ａが移動する間には、映像Ｂの占める面積は操作位置４６ｂに割り当てられている映像切換効果を維持してα１％からα２％に漸増する。上記のα１乃至α８の数値は線形に増加させることもできるし、非線形に増加させることもできる。
【００２８】
例えば操作子４４ａが操作位置４６ａに位置する場合、図５（ａ）に示すように、映像切換効果としては左三角が選択され、その映像切換効果付与状態はα１％である。操作子４４ａが操作位置４６ｂに位置する場合、同図（ｂ）に示すように映像切換効果としては上三角が選択され、その映像切換効果付与状態はα２％である。操作子４４ａが操作位置４６ｃに位置する場合、同図（ｃ）に示すように映像切換効果としては右三角が選択され、その映像切換効果付与状態はα３％である。操作子４４ａが操作位置４６ｄに位置する場合、同図（ｄ）に示すように映像切換効果としては下三角が選択され、その映像切換効果付与状態はα４％である。
【００２９】
操作子４４ａが操作位置４６ｅに位置する場合、同図（ｅ）に示すように映像切換効果としては左ワイプが選択され、その映像切換効果付与状態はα５％である。操作子４４ａが操作位置４６ｆに位置する場合、同図（ｆ）に示すように映像切換効果としては上ワイプが選択され、その映像切換効果付与状態はα６％である。操作子４４ａが操作位置４６ｇに位置する場合、同図（ｇ）に示すように映像切換効果としては右ワイプが選択され、その映像切換効果付与状態は、α７％である。操作子４４ａが操作位置４６ｈに位置する場合、同図（ｈ）に示すように映像切換効果としては下ワイプが選択され、その映像切換効果付与状態はα８％である。
【００３０】
このようにＴバー４４の操作子４４ａを操作することによって、付与される映像切換効果とその映像切換効果の付与状態とが、共に変更される。この変更のタイミングは、ユーザーが操作子４４ａを各操作位置４６ａ乃至４６ｈに移動させる速度によって変化する。
【００３１】
このような映像切換効果を得るために、ＣＰＵ１４が行う処理を説明する。内部メモリ２４には、図６に示すように複数、例えば５つのパターンＡ乃至Ｅが記憶されている。これらパターンは、各操作位置４６ａ乃至４６ｈに割り当てられている映像切換効果の種類の組合せが異なるものである。また、各操作位置４６ａ乃至４６ｈには、各パターンＡ乃至Ｅに共通に、それぞれ異なる映像切換効果付与状態が設定されている。なお、パターンごとに、操作位置４６ａ乃至４６ｈに割り当てる映像切換効果付与状態を異なったものとすることもできる。これら各パターンのうちユーザーが使用しようとするパターンが予め選択される。
【００３２】
図７に示すように、ビデオミキサ２に電源が供給されたとき、まず初期化が行われ（ステップＳ２）、次に初期映像が設定される（ステップＳ４）。ステップＳ２の初期化において、上述したパターンの選択が行われている。なお、ステップＳ２以外でも、パターンの選択が可能とされている。これ以上にはステップＳ２、Ｓ４の処理は、本願発明には関連しないので、詳細な説明は省略する。
【００３３】
次に、入力選択スイッチ３２、３２、出力フェーダ４０、Ｔバー４４、タップ操作部４８、ＢＰＭ操作部５０等の操作子が操作されているか判断する（ステップＳ６）。この判断の答えがイエスの場合、入力選択スイッチ３２、３２の操作による入力映像の切換が行われているか判断する（ステップＳ８）。この判断の答えがイエスの場合、入力選択スイッチ３２、３２の操作に従って入力映像の切換が行われ（ステップＳ１０）、再びステップＳ６の処理を実行する。ステップＳ１０の判断の答えがノーの場合、トランジッション（映像切換効果）を切り換えたか判断する（ステップＳ１２）。この判断の答えがイエスの場合、トランジッション切換処理を行い（ステップＳ１４）、ステップＳ６の処理を再び実行する。
【００３４】
ステップＳ６の判断の答えがノーの場合、シリアルコマンドが入力されているか判断する（ステップＳ１６）。即ち、このビデオミキサ２の外部からシリアル伝送で、操作子の操作に対応する指示が与えられているか判断する。この判断の答えがイエスの場合、ステップＳ８以降の処理を行い、この判断の答えがノーの場合には、再びステップＳ６の処理を実行する。
【００３５】
トランジッション切換処理では、図８に示すように、まず所定時間、例えば１フィールド（ＮＴＳＣ方式では１／６０秒、ＰＡＬ方式では１／５０秒）にわたって待機が行われる（ステップＳ１８）。これは、急激に映像の切換が行われて、映像を見た者に違和感を与えることを防止するためである。ステップＳ１８に続いて、Ｔバー４４の操作子４４ａが操作されているか判断する（ステップＳ２０）。この判断の答えがノーの場合、判断の答えがイエスになるまでステップＳ２０を繰り返す。
【００３６】
ステップＳ２０の判断の答えがイエスであると、図９に示すように、まずＴバー４４の操作子４４ａの位置を測定する（ステップＳ２２）。次に、測定された操作子４４ａの位置が操作位置４６ａに該当する範囲内か判断する（ステップＳ２４）。この判断の答えがイエスの場合、予め選択されているパターンの操作位置４６ａに対応する映像切換効果に設定する（ステップＳ２６）。これに続いて、操作位置４６ａに対応する映像切換効果付与状態に設定し（ステップＳ２８）、ステップＳ２０から再び実行する。
【００３７】
ステップＳ２２の判断の答えがノーの場合、測定された操作子４４ａの位置が操作位置４６ｂに該当する範囲内か判断する（ステップＳ３０）。この判断の答えがイエスの場合、予め選択されているパターンの操作位置４６ｂに対応する映像切換効果に設定し（ステップＳ３２）、ステップＳ２８によって操作位置４６ｂに対応する映像切換効果付与状態に設定し、ステップＳ２０から再び実行する。
【００３８】
ステップＳ３０の判断の答えがノーの場合、測定された操作子４４ａの位置が操作位置４６ｃに該当する範囲内か判断する（ステップＳ３４）。この判断の答えがイエスの場合、予め選択されているパターンの操作位置４６ｃに対応する映像切換効果に設定し（ステップＳ３６）、ステップＳ２８によって操作位置４６ｃに対応する映像切換効果付与状態に設定し、ステップＳ２０から再び実行する。
【００３９】
ステップＳ３４の判断の答えがノーの場合、測定された操作子４４ａの位置が操作位置４６ｄに該当する範囲内か判断する（ステップＳ３８）。この判断の答えがイエスの場合、予め選択されているパターンの操作位置４６ｄに対応する映像切換効果に設定し（ステップＳ４０）、ステップＳ２８によって操作位置４６ｄに対応する映像切換効果付与状態に設定し、ステップＳ２０から再び実行する。
【００４０】
ステップＳ３８の判断の答えがノーの場合、測定された操作子４４ａの位置が操作位置４６ｅに該当する範囲内か判断する（ステップＳ４２）。この判断の答えがイエスの場合、予め選択されているパターンの操作位置４６ｅに対応する映像切換効果に設定し（ステップＳ４４）、ステップＳ２８によって操作位置４６ｅに対応する映像切換効果付与状態に設定し、ステップＳ２０から再び実行する。
【００４１】
ステップＳ４２の判断の答えがノーの場合、測定された操作子４４ａの位置が操作位置４６ｆに該当する範囲内か判断する（ステップＳ４６）。この判断の答えがイエスの場合、予め選択されているパターンの操作位置４６ｆに対応する映像切換効果に設定し（ステップＳ４８）、ステップＳ２８によって操作位置４６ｆに対応する映像切換効果付与状態に設定し、ステップＳ２０から再び実行する。
【００４２】
ステップＳ４６の判断の答えがノーの場合、測定された操作子４４ａの位置が操作位置４６ｇに該当する範囲内か判断する（ステップＳ５０）。この判断の答えがイエスの場合、予め選択されているパターンの操作位置４６ｇに対応する映像切換効果に設定し（ステップＳ５２）、ステップＳ２８によって操作位置４６ｆに対応する映像切換効果付与状態に設定し、ステップＳ２０から再び実行する。
【００４３】
ステップＳ５０の判断の答えがノーの場合、測定された操作子４４ａの位置が操作位置４６ｈに該当する範囲内にあると判断できるので、予め選択されているパターンの操作位置４６ｈに対応する映像切換効果に設定し（ステップＳ５４）、ステップＳ２８によって操作位置４６ｆに対応する映像切換効果付与状態に設定し、ステップＳ２０から再び実行する。
【００４４】
このように映像切換効果の種類と映像切換効果の付与状態とが決定されたので、グラフィックアクセラレータ１８は、決定された映像切換効果の種類で映像切換効果を付与し、その付与状態は、決定された付与状態に対応したものである。Ｔバー４４の操作子４４ａが操作されるごとに、このようにして映像切換効果の種類と映像切換効果付与状態とが変更される。
【００４５】
ユーザーがタップ操作部４８を操作することによって、タイミング信号を発生し、このタイミング信号に同期して映像切換効果の種類と、映像切換効果付与状態とを変更することもできる。或いは、ＢＰＭ操作部５０によってＢＰＭを設定し、このＢＰＭに対応したＢＰＭ情報をタイミング信号として使用することもできる。これらの場合、ＣＰＵ１４ではタイミング信号をカウントし、図９においてステップＳ２２を省略し、ステップＳ２４、Ｓ３０、Ｓ３４、Ｓ３８、Ｓ４２、Ｓ４６、Ｓ５０を、それぞれカウント値が１、２、３、４、５、６、７であるか否かの判断に変更する。ステップＳ２６、Ｓ３２、３６、Ｓ４０、Ｓ４４、Ｓ４８、Ｓ５２は、それぞれカウント値に対応する映像切換効果に設定するに変更する。そしてステップＳ５０の判断の答えがノーの場合には、カウント値が８であるか否かの判断を加え、この判断の答えがイエスの場合、カウント値８に対応する映像切換効果の設定のステップを加え、このステップに続いてカウンタをリセットし、ステップＳ２８を実行する。このステップがノーの場合には、カウンタをリセットし、ステップＳ２０を実行する。
【００４６】
なお、この場合、ステップＳ２８の処理を実行せずに、Ｔバー４４の操作子４４ａを特定の操作位置に固定しておき、この操作位置に応じた変化しない映像切換効果付与状態とすることもできる。シリアルインターフェース２８を介して外部から供給されるタイミング信号やＢＰＭ情報に従って映像切換効果またはこれと映像切換効果付与状態とを変化させることもできる。なお、タイミング信号としては、ＭＩＤＩのシステムメッセージのリアルタイムメッセージのタイミングクロックを使用することができる。
【００４７】
上記の実施形態では、切換パターンはＡ乃至Ｅの５パターンを示したが、これに限ったものではなく、種々のパターンを使用することもできるし、使用するパターンの組合せは、ユーザーが任意に変更することもできる。上記の実施形態では、１つのパターン内に、同じ映像切換効果を含むものを示していないが、例えば操作子４４ａの操作位置の隣接するものに割り当てなければ、同じ映像切換効果を１つのパターン内に使用することができる。即ち、使用される映像切換効果の種類は、２種類以上であって、同一種類を非連続に使用すればよい。
【図面の簡単な説明】
【００４８】
【図１】本発明の１実施形態のビデオミキサの接続状態を示すブロックダイアグラムである。
【図２】図１のビデオミキサのブロックダイアグラムである。
【図３】図１のビデオミキサの機能ブロック図である。
【図４】図１のビデオミキサの筐体の部分省略正面図である。
【図５】図１のビデオミキサにおける映像切換の進行状態を示す図である。
【図６】図１のビデオミキサにおいて使用される映像切換パターンの例を示す図である。
【図７】図１のビデオミキサのＣＰＵが行う処理を示すフローチャートである。
【図８】図７のトランジッション処理の一部を示すフローチャートである。
【図９】図７のトランジッション処理の残りの部分を示すフローチャートである。
【符号の説明】
【００４９】
２  ビデオミキサ
１４  ＣＰＵ（変更手段）
１８  グラフィックアクセラレータ
４４  Ｔバー（操作子）
４４ａ  Ｔバーの操作部
４６ａ乃至４６ｈ  操作位置
４８  タップ部（タイミング信号発生手段）
【図１】
0005107098.tif 000002
【図２】
0005107098.tif 000003
【図３】
0005107098.tif 000004
【図４】
0005107098.tif 000005
【図５】
0005107098.tif 000006
【図６】
0005107098.tif 000007
【図７】
0005107098.tif 000008
【図８】
0005107098.tif 000009
【図９】
0005107098.tif 000010